(57)【要約】【課題】  電波妨害を軽減する。【解決手段】  セットトップボックスは、内部回路と、外部から内部回路に指示を与えるために押下げられるタクトを有するタクトスイッチ４０とを備える。セットトップボックスは、第１孔が開き、かつ内部回路およびタクトスイッチ４０を格納するボトムシャーシ１４と、裏面に突出部が設けられたフロントケース１２とをさらに備える。フロントケース１２は、ボトムシャーシ１４に、突出部がボトムシャーシ１４の第１孔を貫通するように取付けられる。タクトは、ボタン２０が外力により弾性変形した場合に、突出部から力を受ける位置にある。突出部は、タクトから反力を受ける部分の背面に、複数のリブを有する。【選択図】        図２
2006202632.tif 000002
【特許請求の範囲】
【請求項１】
内部回路と、
外部から前記内部回路に指示を与えるために押下げられるタクトを有するタクトスイッチとを備え、
第１の孔が開いた第１の面を有し、かつ前記内部回路およびスイッチを格納する筐体と、
裏面に突出部が設けられ、かつ前記突出部を囲むように開口された第２の孔を有するパネルとをさらに備え、
前記パネルは、前記筐体に、前記突出部が前記筐体の第１の孔を貫通するように取付けられ、
前記タクトは、前記パネルの前面の、前記第２の孔が囲む領域が外力により弾性変形した場合に、前記突出部から力を受ける位置にあり、
前記突出部は、前記タクトから反力を受ける部分の背面に、複数のリブを有する、電子機器。
【請求項２】
内部回路と、
外部から前記内部回路に指示を与えるために押下げられるタクトを有するタクトスイッチとを備え、
第１の孔が開いた第１の面を有し、かつ前記内部回路およびスイッチを格納する筐体と、
裏面に突出部が設けられ、かつ前記突出部を囲むように開口された第２の孔を有するパネルとをさらに備え、
前記パネルは、前記筐体に、前記突出部が前記筐体の第１の孔を貫通するように取付けられ、
前記タクトは、前記パネルの前面の、前記第２の孔が囲む領域が外力により弾性変形した場合に、前記突出部から力を受ける位置にあり、
前記突出部は、複数のリブを有する、電子機器。
【請求項３】
前記突出部は、前記タクトから反力を受ける部分に複数のリブを有する、請求項２に記載の電子機器。
【請求項４】
前記複数のリブは、前記タクトから反力を受ける部分の背面にあるリブを含む、請求項３に記載の電子機器。
【請求項５】
前記複数のリブは、高さが一定の部分を有するリブを含む、請求項２に記載の電子機器。
【発明の詳細な説明】
【技術分野】
【０００１】
本発明は、電子機器に関し、特に、一方向に外力を与えることで動作するスイッチを有する電子機器に関する。
【背景技術】
【０００２】
図７を参照して、従来のセットトップボックスは、フロントケース５６と、ボトムシャーシ５８と、メイン基板１６と、タクトスイッチ４０と、フロントキー５０と、フロントケース１２にビスなどで固定されたフロント基板５２と、ワイヤ５４とを含む。フロントケース５６は、フロントキー５０がタクトスイッチ４０に外力を伝達できるように、フロントキー５０を固定する。ボトムシャーシ５８は、メイン基板１６を格納する。メイン基板１６は、外部から受けた指示に対応するように動作する回路を搭載する。タクトスイッチ４０は、外力の有無に応じて内部回路（メイン基板１６の上に形成された回路）を開閉する。フロントキー５０は、タクトスイッチ４０に外力を伝達する。フロント基板５２は、タクトスイッチ４０を固定する。ワイヤ５４は、メイン基板１６およびフロント基板５２を接続する。この技術によると、ユーザから受けた外力により回路を開閉できる。しかしながら、この技術では、組立が難しく、かつコストが高くなるという問題点がある。このため、組立が容易でコストが低いセットトップボックスの構造が工夫されている。
【０００３】
特許文献１には、操作ボタンに連接した突出部の下にタクトスイッチのタクトを配備した機器の基板の構造が開示されている。この考案によると、突出部とタクトとの間隔を確実に保つことができる。また、この考案によると、フロント基板５２やワイヤ５４が不要なので、組立を容易にでき、かつコストを軽減できる。
【０００４】
特許文献２には、キャビネットと一体の縦向き板部と、縦向き板部のボタン部の内面側に水平に設けた突出部と、キャビネット内に配置した基板上の突出部の先端近傍の下側に上向きに配設したタクトスイッチとを含む。この発明によると、基板の省スペース化を図ることができる。
【０００５】
特許文献３には、キャビネットの内部に向けて水平に延びた突出部とキャビネットと一体に設けられ縦方向にヒンジ部を有する縦向き片と縦向き片に一体に突設されたボタン部とを有する押しボタンと、キャビネット内の基板の上面に取付けられてスイッチ部が上向きに設けられた第１タクトスイッチと、基板上における第１タクトスイッチの奥側に取付けられてスイッチ部が水平に突出部に向けて設けられた第２タクトスイッチとを含む。この発明によると、１つの押しボタンでキャビネット内の２つのタクトスイッチを押してオンおよびオフすることができて、押しボタンの数を減らすことができ、かつこの押しボタンが配置されるキャビネットの表面での小スペース化を図ることができ、しかも押しボタンの押込み量により１つのタクトスイッチだけを押してオンおよびオフしたり、２つのタクトスイッチの両方を一度に押してオンおよびオフしたりできる。
【特許文献１】登録実用新案第３０９３８７７号公報
【特許文献２】特開２００２−８４８８号公報
【特許文献３】特開２００２−８４８７号公報
【発明の開示】
【発明が解決しようとする課題】
【０００６】
しかしながら、特許文献１〜特許文献３に開示された考案および発明では、不要輻射などの電波妨害に弱いという問題点がある。この問題は、ユーザから受けた外力をタクトスイッチに伝達するために、ボトムシャーシに大きな孔を設けなくてはならないことに起因する。大きな孔を設けなくてはならない理由は、上述した突出部をこれまでより小さくすることが困難な点にある。図８は、上述した突出部の一例を表わす図である。突出部６０は、先端に行くにつれ高さが低くなる１枚のリブを含む。突出部６０の強度を確保するために、このリブをある程度高くしなければならない。これが、突出部を小さくし難い理由である。
【０００７】
本発明は上述の問題点を解決するためになされたものであって、その目的は、電波妨害を軽減できる電子機器を提供することにある。
【課題を解決するための手段】
【０００８】
上記目的を達成するために、本発明のある局面にしたがうと、電子機器は、内部回路と、外部から内部回路に指示を与えるために押下げられるタクトを有するタクトスイッチとを備える。電子機器は、第１の孔が開いた第１の面を有し、かつ内部回路およびスイッチを格納する筐体と、裏面に突出部が設けられ、かつ突出部を囲むように開口された第２の孔を有するパネルとをさらに備える。パネルは、筐体に、突出部が筐体の第１の孔を貫通するように取付けられる。タクトは、パネルの前面の、第２の孔が囲む領域が外力により弾性変形した場合に、突出部から力を受ける位置にある。突出部は、タクトから反力を受ける部分の背面に、複数のリブを有する。
【０００９】
すなわち、突出部は、タクトから反力を受ける部分の背面に、複数のリブを有するので、複数のリブが特に低くても、タクトを押下げることができる。タクトを押下げることができるので、第１の孔を特に低くできる。これにより、筐体が第１の面に第１の孔を有することによる、電波妨害を特に軽減できる。その結果、電波妨害を特に軽減できる電子機器を提供することができる。
【００１０】
本発明の他の局面にしたがうと、電子機器は、内部回路と、外部から内部回路に指示を与えるために押下げられるタクトを有するタクトスイッチとを備える。電子機器は、第１の孔が開いた第１の面を有し、かつ内部回路およびスイッチを格納する筐体と、裏面に突出部が設けられ、かつ突出部を囲むように開口された第２の孔を有するパネルとをさらに備える。パネルは、筐体に、突出部が筐体の第１の孔を貫通するように取付けられる。タクトは、パネルの前面の、第２の孔が囲む領域が外力により弾性変形した場合に、突出部から力を受ける位置にある。突出部は、複数のリブを有する。
【００１１】
すなわち、突出部は、複数のリブを有するので、リブの枚数が複数でない場合に比べ、リブが低くても、タクトを押下げることができる。タクトを押下げることができるので、第１の孔を低くできる。これにより、筐体が第１の面に第１の孔を有することによる、電波妨害を軽減できる。その結果、電波妨害を軽減できる電子機器を提供することができる。
【００１２】
また、上述の突出部は、タクトから反力を受ける部分に複数のリブを有することが望ましい。
【００１３】
すなわち、突出部は、タクトから反力を受ける部分に複数のリブを有するので、タクトから反力を受ける部分以外の部分に複数のリブを有する場合に比べて、リブが低くても、タクトを押下げることができる。タクトを押下げることができるので、第１の孔をより低くできる。これにより、筐体が第１の面に第１の孔を有することによる、電波妨害をより軽減できる。その結果、電波妨害をより軽減できる電子機器を提供することができる。
【００１４】
また、上述の複数のリブは、タクトから反力を受ける部分の背面にあるリブを含むことが望ましい。
【００１５】
すなわち、突出部は、タクトから反力を受ける部分の背面にあるリブを含む、複数のリブを有するので、タクトから反力を受ける部分の背面にリブを含まない場合に比べて、リブが低くても、タクトを押下げることができる。タクトを押下げることができるので、第１の孔を特に低くできる。これにより、筐体が第１の面に第１の孔を有することによる、電波妨害を特に軽減できる。その結果、電波妨害を特に軽減できる電子機器を提供することができる。
【００１６】
また、上述の複数のリブは、高さが一定の部分を有するリブを含むことが望ましい。
【００１７】
すなわち、突出部は、高さが一定の部分を有する複数のリブを有する。これにより、突出部は、高さが一定の部分を有するリブを含まない場合に比べて、簡単な構造であっても、タクトを押下げることができる。その結果、簡単な構造であっても電波妨害を軽減できる電子機器を提供することができる。
【発明の効果】
【００１８】
本発明に係る電子機器は、電波妨害を軽減できる。
【発明を実施するための最良の形態】
【００１９】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２０】
図１は、本実施の形態に係るセットトップボックス１０の正面図である。図２は、本実施の形態に係るセットトップボックス１０の構造を表わす図である。図１および図２を参照して、本実施の形態に係るセットトップボックス１０は、フロントケース１２と、ボトムシャーシ１４と、メイン基板１６と、タクトスイッチ４０とを含む。フロントケース１２は、後述する突出部３０がボトムシャーシ１４の孔を貫通するようにボトムシャーシ１４に取付けられる。ボトムシャーシ１４は、孔（本実施の形態において、この孔を「第１孔」と称する）が開いた面を有し、かつメイン基板１６（ひいては内部回路）およびタクトスイッチ４０を格納する筐体である（本実施の形態の場合、「第１孔が開いた面」は、正面である）。メイン基板１６は、内部回路（本実施の形態の場合、外部から受けた指示に対応するように動作する回路）を搭載する基板である。タクトスイッチ４０は、タクトを有するスイッチである。タクトは、外部からメイン基板１６の内部回路に指示を与えるために押下げられる。
【００２１】
フロントケース１２は、ボタン２０と、突出部３０とを含むパネルである。ボタン２０は、ユーザから外力を受付け、突出部３０に伝える。突出部３０は、ユーザからの外力をタクトスイッチ４０に伝達する。突出部３０は、フロントケース１２の裏面（本実施の形態の場合、フロントケース１２のうち、ボタン２０の裏面）に設けられている。フロントケース１２は、この突出部３０を囲むように開口された孔（本実施の形態において、この孔を「第２孔」と称する）を有する。本実施の形態の場合、図２において、ボタン２０の周囲に、下向きの「コ」字の形に設けられた孔が第２孔である。ボタン２０および突出部３０の位置は、フロントケース１２がボトムシャーシ１４に取付けられたとき、突出部３０が第１孔を貫通する位置である（すなわち、フロントケース１２は、ボトムシャーシ１４に、突出部３０が第１孔を貫通するように取付けられる）。
【００２２】
図３は、突出部３０の構造を表わす図である。図３において、第２孔の外側およびボトムシャーシ１４は省略されている。図３を参照して、本実施の形態に係る突出部３０は、本体３２と、複数（本実施の形態の場合２本）のリブ３４とを含む。本体３２は、タクトスイッチ４０に接触する。リブ３４は、本体３２の変形を抑制する。リブ３４は、突出部３０のうち、タクトから反力を受ける面の背面の、先端から付け根までに設けられている。リブ３４の高さは、突出部３０の先端から付け根まで同じ高さである。本体３２およびリブ３４は一体となっている。これにより、突出部３０の断面の形状は「コ」字型となる。
【００２３】
図４を参照して、以上のような構造に基づく、セットトップボックス１０の動作について説明する。
【００２４】
ボタン２０が外力を受けると、突出部３０は、下向きに撓む。タクトスイッチ４０のタクトは、フロントケース１２の前面の、第２孔が囲む領域（本実施の形態の場合ボタン２０を含む領域でもある）が外力により弾性変形した場合に、下向きに撓んだ突出部３０から力を受ける位置にある。これにより、ユーザから受けた外力はタクトスイッチ４０に伝達される。外力がタクトスイッチ４０に伝達されると、メイン基板１６上の回路が開閉される。突出部３０とタクトスイッチ４０のタクトとが接触すると、突出部３０はタクトスイッチ４０のタクトから反力を受ける。
【００２５】
以上のようにして、本実施の形態に係るセットトップボックスは、複数のリブ３４を含む。複数のリブ３４が含まれるので、突出部３０が低くても、単一のリブを用いる場合と同様の剛性を確保できる。また、突出部３０のリブ３４の高さを均一としているので、一般的なリブ（この場合、加えられるモーメントに対応するように高さが定められたリブを意味する）に比べ、突出部３０の剛性が高い（特にタクトから反力を受ける部分のリブ３４の高さを均一としているので、リブ先端が低い突出部に比べ、タクトから反力を受ける部分における剛性が高い）。単一のリブを用いる場合と同様の剛性を確保でき、かつ剛性が高いので、従来の突出部に比べ、第１孔付近のリブ３４の高さを抑制することが可能になる。第１孔付近のリブ３４の高さを抑制できるので、第１孔を低くできる。第１孔が低くなるので、不要輻射などが侵入したり、不要輻射などが漏洩したりすることが少なくなる。特に発振器から発生する高調波の漏洩が少なくなる。不要輻射に関係する回路（発振器など）をボトムシャーシ１４の内部に収めることもできる。これにより、電波のシールド化を図ることができる。電波のシールド化を図るための部品を軽減することもできる。その結果、安価に電波妨害を軽減できるセットトップボックスを提供することができる。
【００２６】
なお、突出部３０が有するリブの配置は、特に限定されない。図５は、相対する面に互い違いにリブを配置した例を表わす図である。図６は、Ｈ型にリブを配置した例を表わす図である。
【００２７】
また、本発明は、電子機器であれば、セットトップボックス以外の機器にも適用できる。
【００２８】
また、突出部３０は、本体３２の幅方向に複数並べて設けられてもよい。この場合、ボトムシャーシ１４の孔は、突出部３０が並ぶ方向に平行な辺が長い、１つの孔とすることができる。これにより、突出部３０それぞれの位置について許容される公差が広く、かつ不要輻射の漏洩などを抑制できる、セットトップボックスを提供できる。
【００２９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３０】
【図１】本発明の実施の形態に係るセットトップボックスの正面図である。
【図２】本発明の実施の形態に係るセットトップボックスの構造を表わす図である。
【図３】本発明の実施の形態に係る突出部の構造を表わす図である。
【図４】本発明の実施の形態に係る突出部がタクトスイッチに外力を伝達する作用を表わす図である。
【図５】本発明の実施の形態の変形例に係る互い違いにリブを配置した例を表わす図である。
【図６】本発明の実施の形態の変形例に係るＨ型にリブを配置した例を表わす図である。
【図７】従来例に係るセットトップボックスの正面部の構造を表わす図である。
【図８】従来例に係る突出部のリブの形状を表わす図である。
【符号の説明】
【００３１】
１０  セットトップボックス、１２，５６  フロントケース、１４，５８  ボトムシャーシ、１６  メイン基板、２０  ボタン、３０，６０  突出部、３２  本体、３４  リブ、４０  タクトスイッチ、５０  フロントキー、５２  フロント基板、５４  ワイヤ。
【図１】
2006202632.tif 000003
【図２】
2006202632.tif 000004
【図３】
2006202632.tif 000005
【図４】
2006202632.tif 000006
【図５】
2006202632.tif 000007
【図６】
2006202632.tif 000008
【図７】
2006202632.tif 000009
【図８】
2006202632.tif 000010